(57)【要約】【課題】  幌の開口窓を覆うためのカバー部材にデザイン効果を高めるための工夫を施すことにより、デザイン的に興味を持てる乳母車を提供する。【解決手段】  乳母車の幌１は、幌布２と、この幌布２に形成された開口窓４と、この開口窓４を覆うカバー部材５とを有する。カバー部材５は、その表面側および裏面側に互いに異なったデザインが施されており、表裏反転した両状態で幌布２に取り外し可能に取り付けられるものである。【選択図】      図３
2006008037.tif 000002
【特許請求の範囲】
【請求項１】
幌布に形成された開口窓と、この開口窓を覆うカバー部材とを有する乳母車の幌において、
前記カバー部材は、その表面側および裏面側に互いに異なったデザインが施されており、表裏反転した両状態で前記幌布に取り外し可能に取り付けられるものであることを特徴とする、乳母車の幌。
【請求項２】
前記カバー部材の表面側の周縁部と前記幌布とを取り外し可能に接続する第１接続手段と、前記カバー部材の裏面側の周縁部と前記幌布とを取り外し可能に接続する第２接続手段とを備える、請求項１に記載の乳母車の幌。
【請求項３】
前記開口窓には、メッシュが張られている、請求項１または２に記載の乳母車の幌。
【請求項４】
前記開口窓は、当該幌の上面部分に設けられている、請求項１〜３のいずれかに記載の乳母車の幌。
【発明の詳細な説明】
【技術分野】
【０００１】
この発明は、乳母車の幌に関し、特に開口窓を有する乳母車の幌に関するものである。
【背景技術】
【０００２】
乳母車の幌は、本来、座席に着座した乳幼児を強い日差しから護るためのものであるが、座席への通気性を高めるために開口窓を設けることが提案されている。
【０００３】
開口窓を有する乳母車の幌は、例えば、特表平１１−５０７３０６号公報（特許文献１）および特開２００３−１９９６１号公報（特許文献２）等に開示されている。
【０００４】
母親等が乳母車を移動操作しているとき、母親等は座席に着座した乳幼児の様子を時々観察したいが、幌の存在は乳幼児に対する母親等の視界を遮る。この場合、開口窓があれば、母親等は開口窓を通して乳幼児の様子を観察できる。
【特許文献１】特表平１１−５０７３０６号公報
【特許文献２】特開２００３−１９９６１号公報
【発明の開示】
【発明が解決しようとする課題】
【０００５】
幌の開口窓は、必要に応じて開閉できるようにするのが望ましい。そのため、開口窓を覆うためのカバー部材を設けるのが一般的である。
【０００６】
本発明の目的は、幌の開口窓を覆うためのカバー部材にデザイン効果を高めるための工夫を施すことにより、デザイン的に興味を持てる乳母車を提供しようとするものである。
【課題を解決するための手段】
【０００７】
この発明は、幌布に形成された開口窓と、この開口窓を覆うカバー部材とを有する乳母車の幌であって、次のことを特徴とする。すなわち、カバー部材は、その表面側および裏面側に互いに異なったデザインが施されており、表裏反転した両状態で幌布に取り外し可能に取り付けられるものである。
【０００８】
上記構成の乳母車の幌によれば、カバー部材の表裏を反転させることにより、カバー部材の内側に位置する面を観察する乳幼児にとっても、またカバー部材の外側に位置する面を観察する母親等にとっても、デザインの変化を楽しむことができる。
【０００９】
一つの実施形態では、カバー部材の表面側の周縁部と幌布とを取り外し可能に接続する第１接続手段と、カバー部材の裏面側の周縁部と幌布とを取り外し可能に接続する第２接続手段とを備える。
【００１０】
開口窓には、例えば、メッシュが張られている。また、開口窓は、例えば、当該幌の上面部分に設けられている。このような構成であれば、座席上で幌の内側の図柄を観察する乳幼児にとって、メッシュ地を通して図柄を見ることにより、胎内の環境に似た視界となり、心がより安定する。
【発明を実施するための最良の形態】
【００１１】
図１〜図４は、この発明に従った一実施形態を示している。図面に示すように、乳母車の幌１は、幌布２と、幌布２の上面部分に形成され開口縁３によって輪郭が規定されている開口窓４と、この開口窓４を覆うためのカバー部材５とを備える。図示した実施形態では、開口窓４にメッシュ４ａが張られている。他の実施形態として、開口窓４に透明シートを張ったり、あるいは単なる開口空間としても良い。
【００１２】
カバー部材５は、その表面側および裏面側に互いに異なったデザインが施されており、表裏反転した両状態で幌布に取り外し可能に取り付けられるものである。図１では、カバー部材５の表面側が外側に位置し、図３では、反転して取り付けられたカバー部材５の裏面側が外側に位置している。図示した実施形態では、カバー部材５の表面側は無模様であり、裏面側には花柄模様が施されている。図２では、カバー部材５を幌布２から取り外して、メッシュ４ａが張られた開口窓４を露出させている。
【００１３】
図４は、カバー部材５と幌布２との接続部分の構造を図解的に示している。幌１は、カバー部材５の表面側の周縁部と幌布２とを取り外し可能に接続する第１接続手段と、カバー部材５の裏面側の周縁部と幌布２とを取り外し可能に接続する第２接続手段とを備える。
【００１４】
具体的には、幌布２の開口縁３の内面部分に面ファスナ２ａが取り付けられている。それに対応して、カバー部材５の周縁部の表面に幌布の面ファスナ２ａに接合する面ファスナ５ａが取り付けられ、裏面にも幌布の面ファスナ２ａに接合する面ファスナ５ｂが取り付けられている。上記の第１接続手段は、幌布２の面ファスナ２ａと、カバー部材５の表面の面ファスナ５ａとによって構成される。また、第２接続手段は、幌布２の面ファスナ２ａと、カバー部材５の裏面の面ファスナ５ｂとによって構成される。なお、図４に示すように、メッシュ４ａの周縁部は幌布２に縫合されており、カバー部材５の周縁部は、幌布２とメッシュ４ａとの間に位置している。
【００１５】
座席に着座している乳幼児は、カバー部材５の内側に位置する面を観察し、乳母車を移動操作する母親等は、カバー部材５の外側に位置する面を観察する。したがって、カバー部材５の表裏に互いに異なったデザインを施しておけば、カバー部材の表裏を反転させることにより、カバー部材の内側に位置する面を観察する乳幼児にとっても、またカバー部材の外側に位置する面を観察する母親等にとっても、デザインの変化を楽しむことができる。
【００１６】
なお、図示した実施形態では、幌の上面部分に開口窓を設け、この上面部分にカバー部材を取り外し可能に取付けていたが、開口窓およびカバー部材を取付ける場所を他の位置にしても良い。また、言うまでもないが、カバー部材の表裏に施すデザインとしては、任意のものを採用できる。
【００１７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変更を加えることが可能である。
【産業上の利用可能性】
【００１８】
この発明は、開口窓を有する乳母車の幌に有利に適用され得る。
【図面の簡単な説明】
【００１９】
【図１】乳母車の幌を示す斜視図であり、カバー部材の表面側部分が外側に位置している。
【図２】カバー部材を取り外した状態の斜視図である。
【図３】カバー部材を反転させてカバー部材の裏側部分を外側に位置させている状態を示す斜視図である。
【図４】カバー部材と幌布との接続構造を図解的に示す図である。
【符号の説明】
【００２０】
１  幌、２  幌布、２ａ  面ファスナ、３  開口縁、４  開口窓、４ａ  メッシュ、５  カバー部材、５ａ，５ｂ  面ファスナ。
【図１】
2006008037.tif 000003
【図２】
2006008037.tif 000004
【図３】
2006008037.tif 000005
【図４】
2006008037.tif 000006